(57)【要約】      （修正有）【課題】レッカー車における牽引荷重による前輪浮き上がり作用を減殺できる前輪浮き上がり防止機構を提供する。【解決手段】リフトの垂直フレーム２０上部から前方斜め上方に延びる、逆「く」の字形の傾斜アーム４０を設け、この傾斜アーム４０と荷台フレーム３からの駆動シリンダ５０と直角をなして連結し、荷台フレーム３の最後尾に取り付けられるアンダーリフト１０の水平牽引アーム３０にかかる車両牽引時のレッカー車１にかかる荷重Ｗ１を逆「く」の字形の傾斜アーム４０を介して駆動シリンダ５０で受けるようにした。【選択図】図１
0003213562.tif 000002
【実用新案登録請求の範囲】
【請求項１】
支持軸１１からほぼ垂直上方に伸びる垂直フレーム２０と、該垂直フレーム２０の下部から、水平方向後方に延びる一方、垂直フレーム２０側にＶ字状に折り返し起立可能な水平牽引アーム３０とからなる、レッカー車の荷台後方にＬ字形折り畳み式アンダーリフト１０を備え、該アンダーリフト１０にかかる牽引車両荷重Ｗ１を荷台フレーム３の前方車輪４にかかる荷重Ｗ３とバランスさせるレッカー車において、前記垂直フレーム２０の上部から前方斜め上方に延びる傾斜アーム４０を設ける一方、該傾斜アーム４０先端に荷台フレーム３に前方に連結される駆動シリンダ５０を直角またはその近傍の角度θをなして連結し、前記水平牽引アーム３０にかかる車両牽引時のレッカー車にかかる荷重Ｗ１により生まれる垂直フレーム２０の右回りモーメントM1に対し、駆動シリンダ５０の駆動力を傾斜アーム４０を介して垂直フレーム２０に最大限度で作用させ、左回りモーメントＭ２を形成する機構を設け、荷台後輪５−１又は５−２に荷重Ｗ２をかけることを特徴とする前輪浮き上がり防止機構。
【請求項２】
前記水平牽引アーム３０にかかる車両牽引時のレッカー車にかかる荷重Ｗ１より生まれる垂直フレーム２０の右回りモーメントＭ１に対して左回りモーメントＭ２を形成する機構が上記垂直フレーム２０の前方斜め上方に延びる逆「く」の字形傾斜アーム４０を備え、駆動シリンダ５０先端と傾斜アーム４０先端とを直角またはその近傍の角度θをなして連結する請求項１記載の前輪浮き上がり防止機構。
【考案の詳細な説明】
【技術分野】
【０００１】
この考案は、荷台フレームの最後尾に取り付けられるアンダーリフトでの車両牽引時のレッカー車にかかる荷重Ｗ１を受ける前輪浮き上がり防止機構に関するものである。
【背景技術】
【０００２】
一般に、レッカー車には、運転席のある荷台フレームの前方に水平旋回可能なブームが、荷台フレームの最後尾に折り畳み式アンダーリフトが設けられ、このアンダーリフトはＬ字形をなし、水平方向後方に延びる水平牽引アームが車輪載置台として取り付けられている。事故車、故障車あるいは違法に駐車している車両等の被牽引車を牽引する際、被牽引車の前輪又は後輪をアンダーリフトの後方に延びる牽引アームの車輪載置台に載せ、上記アンダーリフトを上動させて車輪載置台を地面から浮き上がらせた状態で被牽引車を牽引するようになっている。
【０００３】
また、レッカー車には、ドーリと称する補助台車が常備されており、被牽引車が四輪駆動車や車輪が回転不能な事故車である場合には、被牽引車の前輪（又は後輪）を上述の如く車輪載置台に載せるとともに、被牽引車の後輪（又は前輪）を補助台車に載せ、アンダーリフトを上動させて上記車輪載置台を地面から浮き上がらせた状態で被牽引車を牽引するようになっている（特許文献１）。
【０００４】
ところで、上述の如く被牽引車の車輪を載せた車輪載置台をアンダーリフトで地面から浮き上がらせると、被牽引車の荷重Ｗ１がレッカー車の車体後部に作用する。被牽引車が比較的軽量でその荷重がアンダーリフトの持上げ能力の範囲内にある普通車の場合には、レッカー車の車体後部に作用する被牽引車の荷重はさほど大きくないため、レッカー車の前輪が浮き上がることはなく牽引に支障を来すことはないが、被牽引車がトラック等のように重たくてその荷重がアンダーリフトの持上げ能力の範囲を超えている大型車の場合には、レッカー車の車体後部に作用する被牽引車の荷重は非常に大きくなるため、レッカー車の前輪が浮き上がって前輪操舵がきかなくなり牽引できない事態が起きる。
【０００５】
また、それ程までではないにしても、レッカー車の前輪が浮き上がり気味になるので走行安定性が悪くなり、この状態で運転すると非常に危険である。因みに、法規制では、レッカー車の前輪の負荷率が２０％以下になると牽引不可能とされている。このような場合には、大型レッカー車を利用し、運転席後方の荷台フレーム３に重しを置くなどの工夫が取られる。特に、日本などの道路事情が厳しい状況では荷台フレームを極力短くして大型レッカー車の運転能力を向上しようとすると、前輪への荷重がかかりやすく、バランスを採るための重しの重量がレッカー車の運転能力を減殺するという悪循環を招来している。  
【０００６】
そこで、本考案者らはＬ字形アンダーリフトの支持軸からほぼ垂直上方に伸びる垂直フレームの上端から前方に突出する作用アームから傾斜して延びる駆動シリンダで、リフトの水平牽引アームを水平に伸長し、その先端に牽引車両Ｍの荷重Ｗ１をかけた時、後方２輪の後段車輪を支点としてかかる荷重Ｗ１の少なくとも一部を後方２軸の前段または後輪車輪を支点とする荷重Ｗに移行させるように構成されたリフト付レッカー車が提案される（特許文献２）。
【０００７】
しかしながら、大型レッカー車である場合は、荷台フレームが長いので上記構成は採用しやすいものの、小型レッカー車においては無理がある。そこで、大型車両はもちろん、小型車両においても、上記構成を採用して車両牽引時の荷重バランスの取りやすいＬ字形アンダーリフトのレッカー車の前輪浮き上がり防止機構の提供が望まれる。
【０００８】
そこで本考案者は後方の荷台にＬ字形折り畳み式アンダーリフトを備える場合、垂直フレームの上端から前方に突出する作用アームから後方車輪より前方の荷台フレーム３に連結される駆動シリンダを設け、上記水平牽引アームを水平に伸長し、その先端に牽引車両Ｍの荷重Ｗ１をかけた時、支持軸を支点とする垂直フレームの右回り回転モーメントＭ１に対し荷台フレームの前方に伸びる駆動シリンダで上記垂直フレームの左回りの回転モーメントＭ２を付与する構造を提案した（特許文献３）。
【先行技術文献】
【特許文献】
【０００９】
【特許文献１】実開昭６１−８７１３９号公報
【特許文献２】実用登録第３１９５４９４号公報
【特許文献３】実用登録第３２００８２１号公報
【考案の開示】
【考案が解決しようとする課題】
【００１０】
しかしながら、支持軸を支点にする垂直フレームの右回り回転モーメントＭ１に対し荷台フレームの前方に伸びる駆動シリンダで上記垂直フレームの左回りの回転モーメントＭ２を付与する場合、後方車輪に荷重を分散させると、荷台前方の浮き上がりが抑制されるが、後方車輪に荷重を分散させつつ、支持軸を支点にする垂直フレームの右回り回転モーメントＭ１と上記垂直フレームの左回りの回転モーメントＭ２とを拮抗させるには構造上困難が伴うという問題があった。そこで、本考案は垂直フレームの右回り回転モーメントＭ１と拮抗させる上記垂直フレームの左回りの回転モーメントＭ２をよりコンパクトな構造で、かつ容易に付与できる構造を提供することを課題とする。
【課題を解決するための手段】
【００１１】
本考案者は、鋭意研究の結果、荷台後方にＬ字形折り畳み式アンダーリフト１０を備える場合、車両牽引時のレッカー車による荷重Ｗ１を垂直フレーム２０の上部から前方斜め上方に延びる傾斜アーム４０と該傾斜アーム先端に荷台フレーム３に前方に連結される駆動シリンダ５０とを直角またはその近傍の角度θをなして連結し、車両牽引時のレッカー車による荷重Ｗ１による垂直フレームの右回りモーメントM1とバランスする左回りモーメントM2を前記傾斜アームと駆動シリンダにより形成する構造を有することを特徴とする前輪浮き上がり防止機構を提供する。
【００１２】
本考案においては、垂直フレーム２０の上部から前方斜め上方に延びる傾斜アーム４０と該傾斜アーム先端に荷台フレーム３に前方に連結される駆動シリンダ５０とを直角またはその近傍の角度θをなして連結するので、駆動シリンダで効率よく左回りモーメントM2を付与することができる。したがって、前方運転席荷重W3と相まって、後方２輪の後段車輪を支点としてかかる水平牽引アームにかかる荷重Ｗ１の少なくとも一部を後輪車輪を支点とする荷重Ｗ２に移行させ、リフト付レッカー車の前輪浮き上がり防止機構をコンパクトな構造で、かつ容易に付与できる構造を提供する。上記前方斜め上方に延びる傾斜アーム４０は上記連結角度を確保できるように逆「く」の字形とするのがよい。
【図面の簡単な説明】
【００１３】
【図１】本考案のアンダーリフトを取り付けたレッカー車の全体構造を示す側面図である。
【図２】本考案の前輪浮き上がり防止機構の作用説明図である。
【図３】本考案の前輪浮き上がり防止機構の収納状態を示す側面図である。
【考案を実施するための形態】
【００１４】
以下、この考案の実施の形態について図面に基づいて説明する。
図１はこの考案の一実施形態に係るレッカー車１を示し、そのうち図２はその作用機構説明図である。図中、２はレッカー車１の運転席で荷台フレーム（シャーシ）３の前方にあり、このシャーシ３上面中程には、Ｌ型のウインチブーム（図示せず）が設けられ、牽引作業時には、上記ウインチブームにより牽引姿勢を取らせることもできる。上記ウインチブームの基端寄りにはウインチ（図示せず）が設置される場合もある。被牽引車Ｍの車輪が破損してアンダーリフト１０によって牽引作業が不可能な場合に、上記フックを被牽引車Tの掛合部に引っ掛けて被牽引車Ｍを吊り上げることもできる。
【００１５】
図1において、運転台２の下方の荷台フレーム３の前方に前方車輪４が取り付けられる一方、荷台フレーム３の後方に後方車輪５、または後方2軸車輪５−１、５−２を備える。このレッカー車１において、その後方車輪５の後方近傍に荷台フレーム３の長手方向に対し荷台フレーム巾方向に延びる支持軸１１を支点にするＬ字形折り畳み式アンダーリフト１０が取り付けられる。このＬ字形アンダーリフト１０は荷台フレーム３に対し幅方向に伸びる支持軸１１に枢支され、ほぼ垂直上方に伸びる一対の垂直フレーム２０が設けられ、該垂直フレーム２０の下部には垂直フレーム２０の垂直方向に対し後方に直角方向に、Ｌ字形脚部をなすように水平牽引アーム３０が伸びる。該アームは水平方向後方に３段階に伸長可能であるアーム３１、３２および３３を備え（図１参照）、牽引車両の重量に応じて牽引アームの長さを調節可能となっている。この水平牽引アーム３０は牽引しないときは垂直フレーム２０側にＶ字状に折り返し起立可能な折り畳み式となっている（図３参照）。
【００１６】
上記垂直フレームの前部には前方斜め上方に伸びる一対の傾斜アーム４０が水平線に対し４５度をなして伸び、逆「く」の字形をなしている。
【００１７】
この傾斜アーム４０には駆動シリンダ５０の一端５１が連結され、そこから胴部５３は前方下方に水平に対し角度θ（ここではほぼ４５度）傾斜して延び、他端５２が後方車輪５−２より前方の荷台フレーム３に連結金具５４を介して連結される。傾斜アーム４０は支持軸１１を支点として垂直アーム２０前方に引っ張ると引っ張り力Ｆが連結金具５４に作用し、駆動シリンダ５０の荷台フレーム２の上方に引き上げる作用力を働かせ、荷台側重心荷重Ｗ３と牽引荷重Ｗ１とをバランスさせ、バランス荷重Ｗ２が後方車輪５−２を支点として働くようになっている。これにより、後方車輪５−２を支点とする垂直フレーム２０、傾斜アーム４０の右回りモーメントＭ１に左回りモーメントＭ２が拮抗し、前輪４にかかる引き上げ力に前輪荷重Ｗ３が優るように設計される。
【００１８】
本考案においては、支持軸１１は一対の脚部により支持され、荷台フレーム３に固設する。上記垂直フレーム２０、傾斜アーム４０が水平牽引アーム３０を介して牽引荷重Ｗ１を受ける。すなわち、牽引アーム３０を水平に伸長し、その先端に牽引車両Ｍの荷重Ｗ１をかけた時、支持軸１１を支点とする垂直フレーム、傾斜アーム４０の右回り回転モーメントＭ１が作用する。他方、荷台フレーム３の前方に伸びる駆動シリンダ５０で上記垂直フレーム２０、傾斜アーム４０の左回りの回転モーメントＭ２を付与し、荷台フレーム３側の重心Ｗ３とバランスさせると、バランス荷重Ｗ２が荷台フレーム３を介して後方車輪５−２に作用し、後方車輪５−２を支点とするバランスを新たに発生させることになる。
【００１９】
したがって、図２に示すように、牽引アーム３０の支持軸１１を支点とする右回りモーメントＭ１と垂直フレーム２０の駆動シリンダ５０による左回りモーメントＭ２の拮抗により、前輪４に荷重Ｗ３に抗して浮き上がらせる力を抑制させるが、本考案においては、図２に示すように、垂直フレーム２０、傾斜アーム４０の駆動シリンダ５０による左回りモーメントＭ２とこれに拮抗し、牽引アーム３０の右回りモーメントＭ１のバランス荷重を新たに後方車輪５−２を支点として作用するため、前輪４に荷重Ｗ３に抗してそれを浮き上がらせる力は相殺されることになる。しかも、後方車輪５−２に荷重がかかるので、駆動力は向上し、牽引車両の荷重Ｗ１が同じであっても前輪４の浮き上げ力は減殺される結果、操舵性に影響を与えないことになる。さらに、この荷重機構作用において、本考案では傾斜アーム４０の上端に対し、駆動シリンダ５０が直角θをなして連結するため、駆動シリンダの引っ張り力が分散せず、直接作用することになる。すなわち、傾斜アーム４０は支持軸１１からアーム長L2でもって引っ張り力Fを作用させて左回りモーメントM2を形成するのに対し、水平牽引アーム３０の先端に係る荷重W1による支持軸１１からアーム長L2で右回りモーメントM1を形成するので、、駆動シリンダの引っ張り力が分散せず、上記左回りモーメントM2と右回りモーメントM1とを拮抗させることができる。したがって、リフト付レッカー車の前輪浮き上がり防止機構をコンパクトな構造で、かつ容易に付与できる構造とすることができる。
【符号の説明】
【００２０】
３    荷台フレーム
４    前輪
５−１，５−２    後方車輪
１０  アンダーリフト
１１  支持軸
２０  垂直フレーム
３０  水平牽引アーム
４０  傾斜アーム
５０  駆動シリンダ
θ      駆動シリンダの傾斜角度
Ｗ１      牽引荷重
Ｗ２    後方車両荷重
Ｗ３    前輪荷重 
【図１】
0003213562.tif 000003
【図２】
0003213562.tif 000004
【図３】
0003213562.tif 000005